(57)【要約】輝度ムラを抑えることができる液晶表示装置を提供する。液晶表示装置１０は、液晶表示パネル１１と、液晶表示パネル１１の前方に位置し光を透過するホットミラー（透過パネル）１２と、ホットミラー１２の周囲を支持するパッキン１３と、液晶表示パネル１１とパッキン１３とを保持固定する枠体２０と、を備える。枠体２０は、係合連結されるホルダ（第１の枠体）２１とカバー（第２の枠体）３１とでなり、ホルダ２１には、パッキン１３を貫通して液晶表示パネル１１の前方に位置する支持部２２が設けられ、カバー３１には、支持部２２と対向して液晶表示パネル１１の後方に位置する弾性支持部３２が設けられ、液晶表示パネル１１は、パッキン１３とは当接せずに、支持部２２と弾性支持部３２とで挟んで保持固定されている。
2019208425.tif 000002
【特許請求の範囲】
【請求項１】
液晶表示パネルと、
前記液晶表示パネルの前方に位置し光を透過する透過パネルと、
前記透過パネルの周囲を支持するパッキンと、
前記液晶表示パネルと前記パッキンとを保持固定する枠体と、を備え、
前記枠体は、係合連結される第１の枠体と第２の枠体とでなり、
前記第１の枠体には、前記パッキンを貫通して前記液晶表示パネルの前方に位置する支持部が設けられ、
前記第２の枠体には、前記支持部と対向して前記液晶表示パネルの後方に位置する弾性支持部が設けられ、
前記液晶表示パネルは、前記パッキンとは当接せずに、前記支持部と前記弾性支持部とで挟んで保持固定されている、
ことを特徴とする液晶表示装置。
【請求項２】
前記第１の枠体と前記第２の枠体とのいずれか一方には、前記液晶表示パネルが当たる位置決め部が設けられ、いずれか他方には、前記液晶表示パネルが当たり前記位置決め部側に前記液晶表示パネルをガイドする位置決めガイド部が設けられている、
ことを特徴とする請求項１に記載の液晶表示装置。
【請求項３】
前記第１の枠体と前記第２の枠体とのいずれか一方には、前記第１の枠体と前記第２の枠体とを係合して位置決めする係合凹部が設けられ、いずれか他方には、前記係合凹部に嵌まる係合突部が設けられている、
ことを特徴とする請求項１または２に記載の液晶表示装置。
【請求項４】
前記パッキンは、開口部の各辺に間隔をあけて一対の被係止部が形成され、
前記第１の枠体と前記第２の枠体のいずれかは、一対の前記被係止部に係止される一対の係止部が形成され、
前記係止部は、前記係止部の間隔を前記被係止部の間隔より大きくして前記被係止部の両外側に当てて係止する、
ことを特徴とする請求項１乃至３のいずれかに記載の液晶表示装置。
【請求項５】
前記透過パネルは、
前記枠体に設けられ４隅の位置を規制する角支持部と、
２つの前記角支持部の間の前記パッキンに設けられ他方の２つの前記角支持部側へ押す傾斜押え部と、で位置決めされる、
ことを特徴とする請求項１乃至４のいずれかに記載の液晶表示装置。
【発明の詳細な説明】
【技術分野】
【０００１】
本発明は、液晶表示装置に関する。
【背景技術】
【０００２】
画像などで情報を表示するため液晶表示装置が広く用いられており、例えば車両に搭載され、液晶表示装置から画像を表示する表示光を出射させ、視認者の前方に虚像による表示を行うヘッドアップディスプレイにも用いられている。例えば、下記特許文献１に開示されたヘッドアップディスプレイでは、ＴＦＴ（Thin Film Transistor）で構成された液晶表示パネルは、ＴＦＴホルダ内にパッキンを介して前面を保護するホットミラーとともに保持されている。
【先行技術文献】
【特許文献】
【０００３】
【特許文献１】特開２００８−１８５６３３号公報
【発明の概要】
【発明が解決しようとする課題】
【０００４】
上記特許文献１の構成では、液晶表示パネルがパッキンのゴム面で押さえられて保持しているため、液晶表示パネルに加わる固定応力を一定に制御することが難しく、固定応力の影響により液晶表示パネルに輝度ムラが生じるという問題がある。また、ゴムなどのパッキンを介して液晶表示パネルを保持するため、位置決め精度が悪くなると、表示光による画像への影響が及ぶおそれがある。【０００５】
本発明は上記課題に鑑みてなされたものであり、輝度ムラを抑えることができる液晶表示装置を提供することを目的とする。
【課題を解決するための手段】
【０００６】
上記目的を達成するために、本発明の液晶表示装置は、
液晶表示パネルと、
前記液晶表示パネルの前方に位置し光を透過する透過パネルと、
前記透過パネルの周囲を支持するパッキンと、
前記液晶表示パネルと前記パッキンとを保持固定する枠体と、を備え、
前記枠体は、係合連結される第１の枠体と第２の枠体とでなり、
前記第１の枠体には、前記パッキンを貫通して前記液晶表示パネルの前方に位置する支持部が設けられ、
前記第２の枠体には、前記支持部と対向して前記液晶表示パネルの後方に位置する弾性支持部が設けられ、
前記液晶表示パネルは、前記パッキンとは当接せずに、前記支持部と前記弾性支持部とで挟んで保持固定されている、
ことを特徴とする。
【発明の効果】
【０００７】
本発明によれば、輝度ムラを抑えることができる。
【図面の簡単な説明】
【０００８】
【図１】本発明の液晶表示装置の一実施の形態に係り、（ａ）は一部分を拡大して示す外観斜視図、（ｂ）は中央鉛直断面図である。
【図２】本発明の一実施の形態に係る分解斜視図である。
【図３】本発明の一実施の形態に係り、液晶表示パネルとカバーとの関係を説明する一部分を拡大した斜視図である。
【図４】本発明の一実施の形態に係り、ホルダとパッキンとの関係を説明する一部分を拡大した斜視図である。
【図５】本発明の一実施の形態に係り、ホルダとホットミラーとの関係を説明する一部分を拡大した斜視図である。
【図６】本発明の一実施の形態に係り、ホルダとパッキンとの関係を説明する正面図である。
【図７】本発明の一実施の形態に係り、パッキンとホットミラーとの関係を説明する一部分を拡大した斜視図である。
【発明を実施するための形態】
【０００９】
本発明の一実施の形態に係る液晶表示装置について、図面を参照して詳細に説明する。
本実施形態に係る液晶表示装置１０は、例えば車両に搭載され、車両情報などの画像を表示する表示光を出射させ、視認者の前方に虚像による表示を行うヘッドアップディスプレイの表示器として用いられる。液晶表示装置１０は、液晶表示装置１０から車両のフロントガラスに向けて画像を表す表示光を出射する。視認者（主に車両の運転者）は、フロントガラスで反射した表示光を受けて、フロントガラスを通して見える背景に重畳した虚像を視認する。通常、液晶表示装置１０からフロントガラスへと至る表示光の光路中には、凹面鏡等のミラー部材が配置される。
【００１０】
本発明の液晶表示装置１０は、液晶表示パネル１１と、液晶表示パネル１１の前方に位置し光を透過する透過パネル１２と、透過パネル１２の周囲を支持する緩衝部材としてのパッキン１３と、液晶表示パネル１１とパッキン１３とを保持固定する枠体２０と、を備える。枠体２０は、係合連結される第１の枠体２１と第２の枠体３１とでなり、第１の枠体２１には、パッキン１３を貫通して液晶表示パネル１１の前方に位置する支持部２２が設けられ、第２の枠体３１には、支持部２２と対向して液晶表示パネル１１の後方に位置する弾性支持部３２が設けられ、液晶表示パネル１１は、パッキン１３とは当接せずに、支持部２２と弾性支持部３２とで挟んで保持固定されている。
これにより、液晶表示装置１０の保持固定のために加わる力による輝度ムラを抑え、位置決め精度を向上することができる。
【００１１】
本実施形態の液晶表示装置１０は、図２に示すように、液晶表示パネル１１と、前方に位置するホットミラー（透過パネル）１２と、ホットミラー１２の周囲を支持するパッキン１３と、後方に位置する拡散板１４と、枠体２０と、を備える。液晶表示パネル１１は、枠体２０を構成するホルダ（第１の枠体）２１とカバー（第２の枠体）３１とに挟まれパッキン１３とは当接せずに収容されて構成される。
【００１２】
液晶表示パネル１１は、例えばカラー液晶モジュールとされ、ドットマトリクス型のＴＦＴモジュールで構成される。
液晶表示パネル１１は、図示しないバックライトユニットからの光を受けて、画像を形成し、表示光として出射する。液晶表示パネル１１は、一対の透明基板と両基板間に封入された液晶層とからなる液晶セルと、液晶セルを挟んで対向する偏光フィルタと、を有する。透明基板には、ＩＴＯ（Indium Tin Oxide）等により透明電極が形成されている。液晶表示パネル１１は、回路基板に実装された液晶表示パネル１１用の図示しないドライバ、制御部と接続される。液晶表示パネル１１は、制御部の制御の下で、透明電極を介して液晶層に駆動電圧が印加されると、液晶層の液晶分子の配向が制御され、液晶表示パネル１１が有する複数の画素の各々が透過／不透過状態に切り替わる。このような画素の組合せにより、液晶表示パネル１１は、所定の画像を形成し、表示光として出射する。制御部では、例えば車両のＥＣＵ（Electronic Control Unit）から車両速度などの車両情報を取得し、取得した画像情報を表示光として出射する。
【００１３】
液晶表示パネル１１の前面側（前方）にはホットミラー１２が設けられる。ホットミラー１２は、透明ガラスに多層膜を設けることで可視光を透過させ、赤外線を反射するためのものであり、液晶表示パネル１１の温度上昇などから保護するものである。
液晶表示パネル１１の後面側（後方）には、拡散板１４が設けられる。拡散板１４は、液晶表示パネル１１に、図示しないバックライトユニットから入射する光を均一に拡散するためのものである。拡散板１４は、図２に示すように、枠状のカバー３１の開口部より大きな矩形に形成され、上下の２辺及び一方の側辺に突き出して位置決め片１４ａが三箇所に一体に形成されている。
【００１４】
枠体２０は、液晶表示パネル１１の外形に対応した矩形の額縁状に形成され、枠体２０内に液晶表示パネル１１を収容して保持固定する。枠体２０は、樹脂（例えばポリプロピレン）製とされる。枠体２０は、係合連結される横断面形状が略Ｌ字状のホルダ２１と横断形状が略Ｌ字状とされたカバー３１とで構成される。ホルダ２１とカバー３１は、互いを係合連結することで、横断面形状が略コ字状で内側が開口した枠体２０が構成される。
ホルダ２１は、液晶表示パネル１１の前方に配置される。ホルダ２１は、上辺の幅が広く、下辺の幅が狭く形成されており、側面形状が略台形状に形成されている。
カバー３１は、液晶表示パネル１１の後方に配置されてホルダ２１と係合連結される。
カバー３１は、上辺や下辺及び両側辺の各幅が一定に形成されており、ホルダ２１を係合連結した状態では、カバー３１を鉛直にすると、ホルダ２１は上部が前方に突き出して下部が手前に位置する状態になる（図１及び図２参照）。
これらホルダ２１とカバー３１との間に液晶表示パネル１１とホットミラー１２とパッキン１３と拡散板１４とが収容される。
【００１５】
液晶表示装置１０では、液晶表示パネル１１は、パッキン１３とは接触（当接）することなくホルダ２１とカバー３１とで直接挟むようにして保持固定される。
すなわち、樹脂製のカバー３１には、図２及び図３に示すように、弾性支持部３２が一体に形成され、基端がカバー３１に連結されて先端がフリーのアーム状とされる。これにより、弾性支持部３２は、樹脂による弾性を備えたアーム状態となっている。弾性支持部３２の先端部には、液晶表示パネル１１に当てる押え部３３が設けられている。弾性支持部３２は、カバー３１の矩形の枠状体の上辺部の中央部と、左右の側辺部の下方の三箇所に設けられ、液晶表示パネル１１の平面（背面）の位置を規制して押える。
樹脂製のホルダ２１には、図４〜図６に示すように、断面形状がコ字状とされ、開口がホルダ２１の外側とされた支持部２２がカバー３１の弾性支持部３２の先端の押え部３３と対向する位置に形成されている。この支持部２２は、パッキン１３を貫通して先端部がパッキン１３から突き出すように設けられており、上辺部と左右の側辺部の三箇所に設けられている。
これにより、カバー３１の弾性支持部３２とホルダ２１の支持部２２との間に液晶表示パネル１１の表裏面を両側から挟むようにしてパッキン１３とは接触（当接）することなく保持することができ、Ｘ−Ｙ平面の液晶表示パネル１１のパネル面のＺ方向の位置が規制される。
【００１６】
また、液晶表示パネル１１のＸ方向の位置とＹ方向の位置を規制するため、図５に示すように、ホルダ２１には、下辺部に液晶表示パネル１１の下辺部を当てるリブ状の位置決め部２８が２つ形成され、一方の側辺部（図５及び図６の右辺部）に液晶表示パネル１１の一方の側辺部を当てるリブ状の位置決め部２８が２つ形成してある。
カバー３１には、図２及び図３に示すように、上辺部に２つの位置決めガイド部３４が形成され、傾斜部３５を液晶表示パネル１１に当てて押し込むことで、下方に移動させることができるようにしてある。
これにより、液晶表示パネル１１をホルダ２１の位置決め部２８に当てるようにガイドして上下方向（Ｙ方向）の位置決めをする。
カバー３１のホルダ２１の位置決め部２８と反対側の側辺部（図５及び図６の左辺部）に２つの位置決めガイド部３４が形成され、傾斜部３５を液晶表示パネル１１に当てて押し込むようにガイドすることで、側方に移動させることができるようにしてある。これにより、液晶表示パネル１１をホルダ２１の側方の位置決め部２８に当てるようにガイドして左右方向（Ｘ方向）の位置決めをする。
したがって、液晶表示パネル１１は、ホルダ２１とカバー３１との間でパッキン１３を介する（当接する）ことなく、支持部２２及び弾性支持部３２と、上下辺部及び両側辺部の位置決め部２８及び位置決めガイド部３４とによってＸ方向、Ｙ方向及びＺ方向の位置が規制されて位置決めされ、保持固定される。
なお、パッキン１３を液晶表示パネル１１に接触させない構造については、後述する。
【００１７】
また、ホルダ２１とカバー３１とは、互いを合わせるようにして係合連結される。
すなわち、ホルダ２１には、上辺部及び下辺部の外側面に２つの連結用突起部２４が上方に突き出して形成されており、カバー３１には、連結用突起部２４の外側を囲むように係合される連結用枠部３６が形成されている。
これにより、カバー３１の連結用突起部２４を乗り越えるようにホルダ２１の連結用枠部３６を押し込み、連結用突起部２４を乗り越えた状態に連結用枠部３６を位置させることでホルダ２１とカバー３１とが連結された状態で保持することができる。
ホルダ２１とカバー３１との位置決めは、図１に示すように、ホルダ２１の両側面部にＺ方向に沿って係合凹部２５が形成され、カバー３１の両側面部には、係合凹部２５に嵌まる係合突部３７がＺ方向に突き出すように形成してある。係合凹部２５と係合突部３７の上下面でＹ方向の位置が規制され、両側の係合凹部２５と係合突部３７の内側面でＸ方向の位置が規制される。
また、係合突部３７の先端部は、斜面を形成して細くしてあり、係合凹部２５への挿入性を向上できるようにしている。
なお、Ｚ方向の位置は、ホルダ２１の支持部２２とカバー３１の弾性支持部３２との間で液晶表示パネル１１を介して作用する反力で、係合連結されたホルダ２１とカバー３１の位置が規制される。
【００１８】
ホットミラー１２は、パッキン１３を介して枠体２０内に保持固定される。
ホットミラー１２は、図５に示すように、ホルダ２１の内側にホットミラー１２の４隅を当てて４隅の位置を規制する角支持部を構成するホットミラー受け部２７が４つ設けられている。４つのホットミラー受け部２７は、ホットミラー１２の大きさに対して上下方向（Ｙ方向）及び左右方向（Ｘ方向）にそれぞれ隙間ができるように形成されて配置されている。
ホットミラー１２の背面には、ホルダ２１に取り付けたパッキン１３が当てられてホットミラー１２が押えられる。
パッキン１３は、図２に示すように、ホルダ２１の外形に合わせて上辺の幅が広く、下辺の幅が狭く形成されており、側面形状が略台形状に形成されている。これにより、ホットミラー１２の背面にパッキン１３を当ててホルダ２１に装着し、カバー３１を係合連結した状態で、且つ、ホットミラー１２が鉛直になった状態では、液晶表示パネル１１は、上辺部が鉛直面から離れ、下辺部が鉛直面に接近して傾いた状態となる。すなわち、液晶表示パネル１１とホットミラー１２とは、平行ではなく、上縁部が離れた傾斜状態でホルダ２１とカバー３１内に収容されている。
【００１９】
ホルダ２１には、図３及び図５に示すように、パッキン１３の前面の周囲を支持するパッキン受け部２６が後面側に突き出すように複数形成され、ホットミラー１２の背面に当てたパッキン１３の前面の外周側を支持する。パッキン受け部２６は、ホットミラー受け部２７の端面が兼用される。
このホルダ２１へのパッキン１３の支持状態では、液晶表示パネル１１の前面を支持する支持部２２がパッキン１３の貫通孔から後面に突き出す長さとされている。これにより、ホルダ２１には、パッキン１３が液晶表示パネル１１と接触（当接）しない状態で装着され、パッキン１３は、ホットミラー１２と接触してホットミラー１２を支持する。
パッキン１３は、ホットミラー１２を位置決めする傾斜押え部１３ａが一体に形成される。
傾斜押え部１３ａは、図１（ｂ）及び図７に示すように、２つのホットミラー受け部２７の中間部に配置され、ホットミラー１２の端面に傾斜面１３ｂを当てて押すことで、隙間をなくして位置決めする。このため、傾斜押え部１３ａは、２つのホットミラー受け部２７が位置する直交する２辺に対応して設けられ、例えば一方の側辺部と下辺部に設けられる。これにより、ホットミラー１２は、上辺部の２つのホットミラー受け部２７及び傾斜押え部１３ａと反対側の側辺部の２つのホットミラー受け部２７との隙間をなくした状態で位置決めされる。
【００２０】
パッキン１３は、ゴムやエラストマーなどの弾性を有する材料、あるいはポリウレタンフォームなどの多孔質材料からなり、液晶表示パネル１１の表示面に対応した矩形の開口部１３ｃが形成されており、歪みなどが生じても矩形の開口部１３ｃを確保した状態でホルダ２１に装着する必要がある。
パッキン１３には、図４及び図６に示すように、外側に向かって開口し、表裏方向には貫通する切り欠き部（被係止部）１３ｄが間隔Ｌを隔てて一対ずつ４つの各辺部に形成されている。
一方、ホルダ２１には、一対の切り欠き部１３ｄに係止される一対の位置決め部（係止部）２８が切り欠き部１３ｄの位置に対応して設けられ、一対の位置決め部２８の間隔Ｌ１が一対の切り欠き部１３ｄの間隔より大きく設定してある。なお、位置決め部２８は、既に説明した液晶表示パネル１１のＸ，Ｙ方向の位置を位置決めする位置決め部２８と兼用されている。
これにより、一対の位置決め部２８の外側面が一対の切り欠き部１３ｄの外側面に当たり、パッキン１３の各辺を両側に広げるようにすることができ、開口部１３ｃを確保することができる。
また、パッキン１３の傾斜押え部１３ａが形成されている外形部には、図７に示すように、切欠き１３ｅが形成してある。切欠き１３ｅはホルダ２１に挿入された際、図６に示すホルダ２１のリブ２３にそれぞれＸ，Ｙ方向に押し当てられる。これにより、ホットミラー１２をパッキン１３の傾斜押え部１３ａが押すことでパッキン１３の開口部１３ｃが広がりすぎてしまい、液晶表示パネル１１の表示エリア外の余計な透過光、外光による反射等を抑制する。
【００２１】
拡散板１４を装着するため、カバー３１には、図１（ｂ）及び図２に示すように、カバー３１の内側に矩形の装着溝３８が形成され、装着溝３８に連通して表裏が覆われた位置決め用の差し込み孔３９が形成されている。
これにより、拡散板１４の周囲４辺を装着溝３８に位置させるとともに、位置決め片１４ａを差し込み孔３９に差し込むようにすることで、拡散板１４がカバー３１内に埋め込まれた状態で位置決めされて取り付けられる。したがって、拡散板１４は、前面側に配置される液晶表示パネル１１とは接触しない状態でカバー３１内に装着されている。
【００２２】
このような液晶表示装置１０によって、液晶表示パネル１１、ホットミラー１２、パッキン１３及び拡散板１４がホルダ２１とカバー３１との間に位置決めされた状態で取り付けられて収容されている。そして、液晶表示パネル１１は、パッキン１３とは当接せずに支持部２２と弾性支持部３２とで保持固定される。
【００２３】
以上、実施の形態とともに、具体的に説明したように、本発明の液晶表示装置１０によれば、液晶表示パネル１１と、液晶表示パネル１１の前方に位置し光を透過するホットミラー（透過パネル）１２と、ホットミラー１２の周囲を支持するパッキン１３と、液晶表示パネル１１とパッキン１３とを保持固定する枠体２０と、を備える。枠体２０は、係合連結されるホルダ（第１の枠体）２１とカバー（第２の枠体）３１とでなり、ホルダ２１には、パッキン１３を貫通して液晶表示パネル１１の前方に位置する支持部２２が設けられ、カバー３１には、支持部２２と対向して液晶表示パネル１１の後方に位置する弾性支持部３２が設けられ、液晶表示パネル１１は、パッキン１３とは当接せずに、支持部２２と弾性支持部２３とで挟んで保持固定されている。
かかる構成によれば、ホルダ２１及びカバー３１で保持される液晶表示パネル１１はゴムなどの弾性体のパッキン１３を介することなく支持部２２と弾性支持部３２とで支持することで、一定の固定力で均一に保持することができ、液晶表示パネル１１に偏った力が加わらず、輝度ムラの発生を抑えることができる。また、パッキン１３を介することなく保持固定することで、位置決め精度を向上することができ、品質の優れた画像を表示する表示光を出射させることができる。また、支持部２２と弾性支持部３２とで液晶表示パネル１１を押えるので、押える力を調整し制御して押えることができる。また、パッキン１３の剛性など必要な機能を液晶表示パネル１１の保持とは、関係なく自由に設定することができる。
【００２４】
本発明の液晶表示装置１０によれば、ホルダ２１とカバー３１とのいずれか一方には、液晶表示パネル１１が当たる位置決め部２８が設けられ、いずれか他方には、液晶表示パネル１１が当たり位置決め部２８側に液晶表示パネル１１をガイドする位置決めガイド部３４が設けられている。
かかる構成によれば、位置決めガイド部３４によって液晶表示パネル１１を位置決め部２８側にガイドして押し付けることで液晶表示パネル１１を所定の位置に位置決めすることができる。
これにより、一層液晶表示パネル１１の位置決め精度を向上することができ、画像品質を向上することができる。
【００２５】
本発明の液晶表示装置１０によれば、ホルダ２１とカバー３１とのいずれか一方には、ホルダ２１とカバー３１とを係合して位置決めする係合凹部２５が設けられ、いずれか他方には、係合凹部２５に嵌まる係合突部３７が設けられている。
かかる構成によれば、ホルダ２１とカバー３１とが係合凹部２５と係合突部３７によって所定の位置に位置決めすることができ、これにより、収容された液晶表示パネル１１なども高精度に位置決めすることができる。
【００２６】
本発明の液晶表示装置１０によれば、パッキン１３は、開口部１３ｃの各辺に間隔Ｌを空けて一対の切り欠き部（被係止部）１３ｄが形成され、ホルダ２１とカバー３１のいずれかは、一対の切り欠き部１３ｄに係止される一対の位置決め部（係止部）２８が形成され、位置決め部２８は、位置決め部２８の間隔Ｌ１を切り欠き部１３ｄの間隔Ｌより大きくして切り欠き部１３ｄの両外側に当てて係止する。
これにより、パッキン１３は、切り欠き部１３ｄの間に入れる位置決め部２８によって開口部１３ｃが外側に押し広げられるようになり、歪みなどにより開口部１３ｃが狭くなることが防止でき、液晶表示パネル１１の表示範囲がパッキン１３で覆われることがない。
【００２７】
本発明の液晶表示装置１０によれば、ホットミラー１２は、枠体２０のホルダ２１に設けられ４隅の位置を規制するホットミラー受け部（角支持部）２７と、２つのホットミラー受け部２７の間のパッキン１３に設けられ他方の２つのホットミラー受け部２７側へ押す傾斜押え部１３ａで位置決めされる。
これにより、ホットミラー１２をパッキン１３で押えることで、パッキン１３の傾斜押え部１３ａの傾斜面１３ｂでホットミラー１２の一辺を他方の辺側のホットミラー受け部２７に押し付けて位置決めすることができる。
【００２８】
なお、上記の実施形態では、液晶表示パネル１１としてＴＦＴモジュールに適用した例で説明したが、他の液晶表示パネルであっても良い。
また、上記の実施形態では、液晶表示装置を車載用のヘッドアップディスプレイに適用する場合を例に説明したが、車載用に限らず、飛行機、船等の乗り物に搭載されるものであっても良い。
また、本発明は、上記の実施形態に限定されることなく、種々の態様で実施することができる。
例えば、液晶表示パネル１１を支持する支持部と弾性支持部は、ホルダとカバーとで入れ替えて設置するようにしても良い。同様に、位置決め部と位置決めガイド部、係合凹部と係合突部についてもホルダとカバーで入れ替えて設置するようにしても良く、本発明の要旨を逸脱しない範囲において種々の改良、並びに設計の変更が可能なことは勿論である。
【符号の説明】
【００２９】
１０      液晶表示装置
１１      液晶表示パネル
１２      ホットミラー（透過パネル）
１３      パッキン
１３ａ    傾斜押え部
１３ｂ    傾斜面
１３ｃ    開口部
１３ｄ    切り欠き部
１３ｅ    切欠き
１４      拡散板
１４ａ    位置決め片
２０      枠体
２１      ホルダ（第１の枠体）
２２      支持部
２３      リブ
２４      連結用突起部
２５      係合凹部
２６      パッキン受け部
２７      ホットミラー受け部（角支持部）
２８      位置決め部
３１      カバー（第２の枠体）
３２      弾性支持部
３３      押え部
３４      位置決めガイド部
３５      傾斜部
３６      連結用枠部
３７      係合突部
３８      装着溝
３９      差し込み孔
Ｌ        間隔
Ｌ１      間隔
【図１】
2019208425.tif 000003
【図２】
2019208425.tif 000004
【図３】
2019208425.tif 000005
【図４】
2019208425.tif 000006
【図５】
2019208425.tif 000007
【図６】
2019208425.tif 000008
【図７】
2019208425.tif 000009
【国際調査報告】
2019208425.tif 000010
2019208425.tif 000011
2019208425.tif 000012